(57)【特許請求の範囲】
【請求項１】
各種の処理の実行を制御する制御部と、
記憶部と、
紙に記載された内容を読み取り、該内容を画像データとして前記記憶部に記憶する画像読取部と、
前記記憶部に記憶された前記画像データを画像データ信号として通信信号線に送出する通信部と、
利用者が各種の指示を含む各種の情報を入力するとともに、各種の情報を表示するための操作表示部と
を備え、
前記操作表示部から入力された前記利用者の指示に応答して、第１の通信速度よりも速い第２の通信速度で前記画像データ信号を他のファクシミリ装置に送信する場合には、
ファクシミリ装置であることを示すとともに、前記第２の通信速度で前記画像データ信号を送信することを示す高速ファクシミリ識別信号を前記通信部および前記通信信号線を介して前記他のファクシミリ装置に送信する高速ファクシミリ識別信号送信処理と、前記第２の通信速度で送信されて来る信号の受信に対応していることを示す高速通信対応信号を、前記高速ファクシミリ識別信号を送信してから所定の時間以内に、前記他のファクシミリ装置から受信したときには、前記第２の通信速度で前記画像データ信号を前記通信部および前記通信信号線を介して前記他のファクシミリ装置に送信する第１の画像データ送信処理とを実行し、
前記操作表示部から入力された前記利用者の指示に応答して、前記第１の通信速度で前記画像データ信号を前記他のファクシミリ装置に送信する場合には、
ファクシミリ装置であることを示すとともに、前記第１の通信速度で前記画像データ信号を送信することを示す低速ファクシミリ識別信号を前記通信部および前記通信信号線を介して前記他のファクシミリ装置に送信する低速ファクシミリ識別信号送信処理と、前記高速通信対応信号を、前記低速ファクシミリ識別信号を送信してから前記所定の時間以内に、前記他のファクシミリ装置から受信するか否かを待つことなく、前記第１の通信速度で前記画像データ信号を前記通信部および前記通信信号線を介して前記他のファクシミリ装置に送信する第２の画像データ送信処理とを実行する
ことを特徴とするファクシミリ装置。
【請求項２】
各種の処理の実行を制御する制御部と、
通信信号線を介して画像データ信号を受信する通信部と、
を備え、
ファクシミリ装置であることを示すとともに、第１の通信速度よりも速い第２の通信速度で前記画像データ信号を送信することを示す高速ファクシミリ識別信号を前記通信信号線および前記通信部を介して他のファクシミリ装置から受信した場合には、
前記第２の通信速度で送信されて来る信号の受信に対応していることを示す高速通信対応信号を前記通信部および前記通信信号線を介して前記他のファクシミリ装置に送信する高速通信対応信号送信処理と、前記他のファクシミリ装置から前記第２の通信速度で送信されて来る前記画像データ信号を前記通信信号線および前記通信部を介して受信する第１の画像データ受信処理とを実行し、
ファクシミリ装置であることを示すとともに、前記第１の通信速度で前記画像データ信号を送信することを示す低速ファクシミリ識別信号を前記通信信号線および前記通信部を介して前記他のファクシミリ装置から受信した場合には、
前記高速通信対応信号を前記他のファクシミリ装置に送信することなく、前記他のファクシミリ装置から前記第１の通信速度で送信されて来る前記画像データ信号を前記通信信号線および前記通信部を介して受信する第２の画像データ受信処理を実行する
ことを特徴とするファクシミリ装置。
【請求項３】
各種の処理の実行を制御する制御部と、
記憶部と、
第１の紙に記載された内容を読み取り、該内容を画像データとして前記記憶部に記憶する画像読取部と、
前記記憶部に記憶された前記画像データを第１の画像データ信号として通信信号線に送出する通信部と、
利用者が各種の指示を含む各種の情報を入力するとともに、各種の情報を表示するための操作表示部と
を備え、
前記操作表示部から入力された前記利用者の指示に応答して、第１の通信速度よりも速い第２の通信速度で前記第１の画像データ信号を他のファクシミリ装置に送信する場合には、
ファクシミリ装置であることを示すとともに、前記第２の通信速度で前記第１の画像データ信号を送信することを示す第１の高速ファクシミリ識別信号を前記通信部および前記通信信号線を介して前記他のファクシミリ装置に送信する高速ファクシミリ識別信号送信処理と、前記第２の通信速度で送信されて来る信号の受信に対応していることを示す高速通信対応信号を、前記第１の高速ファクシミリ識別信号を送信してから所定の時間以内に、前記他のファクシミリ装置から受信したときには、前記第２の通信速度で前記第１の画像データ信号を前記通信部および前記通信信号線を介して前記他のファクシミリ装置に送信する第１の画像データ送信処理とを実行し、
前記操作表示部から入力された前記利用者の指示に応答して、前記第１の通信速度で前記第１の画像データ信号を前記他のファクシミリ装置に送信する場合には、
ファクシミリ装置であることを示すとともに、前記第１の通信速度で前記第１の画像データ信号を送信することを示す第１の低速ファクシミリ識別信号を前記通信部および前記通信信号線を介して前記他のファクシミリ装置に送信する低速ファクシミリ識別信号送信処理と、前記高速通信対応信号を、前記第１の低速ファクシミリ識別信号を送信してから前記所定の時間以内に、前記他のファクシミリ装置から受信するか否かを待つことなく、前記第１の通信速度で前記第１の画像データ信号を前記通信部および前記通信信号線を介して前記他のファクシミリ装置に送信する第２の画像データ送信処理とを実行し、
ファクシミリ装置であることを示すとともに、第２の紙に記載された内容を示す第２の画像データ信号を前記第２の通信速度で送信することを示す第２の高速ファクシミリ識別信号を前記通信信号線および前記通信部を介して前記他のファクシミリ装置から受信した場合には、
前記高速通信対応信号を前記通信部および前記通信信号線を介して前記他のファクシミリ装置に送信する高速通信対応信号送信処理と、前記他のファクシミリ装置から前記第２の通信速度で送信されて来る前記第２の画像データ信号を前記通信信号線および前記通信部を介して受信する第１の画像データ受信処理とを実行し、
ファクシミリ装置であることを示すとともに、前記第２の画像データ信号を前記第１の通信速度で送信することを示す第２の低速ファクシミリ識別信号を前記通信信号線および前記通信部を介して前記他のファクシミリ装置から受信した場合には、
前記高速通信対応信号を前記他のファクシミリ装置に送信することなく、前記他のファクシミリ装置から前記第１の通信速度で送信されて来る前記第２の画像データ信号を前記通信信号線および前記通信部を介して受信する第２の画像データ受信処理を実行する
ことを特徴とするファクシミリ装置。
【請求項４】
各種の処理の実行を制御する第１の制御部と、記憶部と、紙に記載された内容を読み取り、該内容を画像データとして前記記憶部に記憶する画像読取部と、前記記憶部に記憶された前記画像データを画像データ信号として通信信号線に送出する第１の通信部と、利用者が各種の指示を含む各種の情報を入力するとともに、各種の情報を表示するための操作表示部とを含む第１のファクシミリ装置と、
各種の処理の実行を制御する第２の制御部と、前記通信信号線を介して前記画像データ信号を受信する第２の通信部とを含む第２のファクシミリ装置と
を備え、
前記第１のファクシミリ装置は、
前記操作表示部から入力された前記利用者の指示に応答して、第１の通信速度よりも速い第２の通信速度で前記画像データ信号を前記第２のファクシミリ装置に送信する場合には、
ファクシミリ装置であることを示すとともに、前記第２の通信速度で前記画像データ信号を送信することを示す高速ファクシミリ識別信号を前記第１の通信部および前記通信信号線を介して前記第２のファクシミリ装置に送信する高速ファクシミリ識別信号送信処理と、前記第２の通信速度で送信されて来る信号の受信に対応していることを示す高速通信対応信号を、前記高速ファクシミリ識別信号を送信してから所定の時間以内に、前記第２のファクシミリ装置から受信したときには、前記第２の通信速度で前記画像データ信号を前記第１の通信部および前記通信信号線を介して前記第２のファクシミリ装置に送信する第１の画像データ送信処理とを実行し、
前記操作表示部から入力された前記利用者の指示に応答して、前記第１の通信速度で前記画像データ信号を前記第２のファクシミリ装置に送信する場合には、
ファクシミリ装置であることを示すとともに、前記第１の通信速度で前記画像データ信号を送信することを示す低速ファクシミリ識別信号を前記第１の通信部および前記通信信号線を介して前記第２のファクシミリ装置に送信する低速ファクシミリ識別信号送信処理と、前記高速通信対応信号を、前記低速ファクシミリ識別信号を送信してから前記所定の時間以内に、前記第２のファクシミリ装置から受信するか否かを待つことなく、前記第１の通信速度で前記画像データ信号を前記第１の通信部および前記通信信号線を介して前記第２のファクシミリ装置に送信する第２の画像データ送信処理とを実行し、
一方、
前記第２のファクシミリ装置は、
前記高速ファクシミリ識別信号を前記通信信号線を介して前記第１のファクシミリ装置から受信した場合には、
前記高速通信対応信号を前記第２の通信部および前記通信信号線を介して前記第１のファクシミリ装置に送信する高速通信対応信号送信処理と、前記第１のファクシミリ装置から前記第２の通信速度で送信されて来る前記画像データ信号を前記通信信号線および前記第２の通信部を介して受信する第１の画像データ受信処理とを実行し、
前記低速ファクシミリ識別信号を前記通信信号線を介して前記第１のファクシミリ装置から受信した場合には、
前記高速通信対応信号を前記第１のファクシミリ装置に送信することなく、前記第１のファクシミリ装置から前記第１の通信速度で送信されて来る前記画像データ信号を前記通信信号線および前記第２の通信部を介して受信する第２の画像データ受信処理を実行する
ことを特徴とする画像データ信号通信システム。
【請求項５】
紙に記載された内容を示す画像データ信号を第１の通信速度よりも速い第２の通信速度で第１のファクシミリ装置から第２のファクシミリ装置に送信する場合には、
ファクシミリ装置であることを示すとともに、前記第２の通信速度で前記画像データ信号を送信することを示す高速ファクシミリ識別信号を前記第１のファクシミリ装置から前記第２のファクシミリ装置に送信する高速ファクシミリ識別信号送信ステップと、前記第２の通信速度で送信されて来る信号の受信に対応していることを示す高速通信対応信号を、前記第１のファクシミリ装置が前記高速ファクシミリ識別信号を送信してから所定の時間以内に、前記第１のファクシミリ装置が前記第２のファクシミリ装置から受信したときには、前記第１のファクシミリ装置が前記第２の通信速度で前記画像データ信号を前記第２のファクシミリ装置に送信する第１の画像データ送信ステップとを含み、
前記第１の通信速度で前記画像データ信号を前記第１のファクシミリ装置から前記第２のファクシミリ装置に送信する場合には、
ファクシミリ装置であることを示すとともに、前記第１の通信速度で前記画像データ信号を送信することを示す低速ファクシミリ識別信号を前記第１のファクシミリ装置から前記第２のファクシミリ装置に送信する低速ファクシミリ識別信号送信ステップと、前記高速通信対応信号を、前記第１のファクシミリ装置が前記低速ファクシミリ識別信号を送信してから前記所定の時間以内に、前記第２のファクシミリ装置から受信するか否かを待つことなく、前記第１の通信速度で前記画像データ信号を前記第１のファクシミリ装置が前記第２のファクシミリ装置に送信する第２の画像データ送信ステップとを含む
ことを特徴とする画像データ信号通信方法。
【請求項６】
ファクシミリ装置であることを示すとともに、紙に記載された内容を示す画像データ信号を第１の通信速度よりも速い第２の通信速度で送信することを示す高速ファクシミリ識別信号を第１のファクシミリ装置から第２のファクシミリ装置が受信した場合には、
前記第２の通信速度で送信されて来る信号の受信に対応していることを示す高速通信対応信号を前記第１のファクシミリ装置に前記第２のファクシミリ装置が送信する高速通信対応信号送信ステップと、前記第１のファクシミリ装置から前記第２の通信速度で送信されて来る前記画像データ信号を前記第２のファクシミリ装置が受信する第１の画像データ受信ステップとを含み、
ファクシミリ装置であることを示すとともに、前記第１の通信速度で前記画像データ信号を送信することを示す低速ファクシミリ識別信号を前記第１のファクシミリ装置から前記第２のファクシミリ装置が受信した場合には、
前記第２のファクシミリ装置が前記高速通信対応信号を前記第１のファクシミリ装置に送信することなく、前記第１のファクシミリ装置から前記第１の通信速度で送信されて来る前記画像データ信号を前記第２のファクシミリ装置が受信する第２の画像データ受信ステップを含む
ことを特徴とする画像データ信号通信方法。
【請求項７】
紙に記載された内容を示す画像データ信号を第１の通信速度よりも速い第２の通信速度で第１のファクシミリ装置から第２のファクシミリ装置に送信する場合には、
ファクシミリ装置であることを示すとともに、前記第２の通信速度で前記画像データ信号を送信することを示す高速ファクシミリ識別信号を前記第１のファクシミリ装置から前
記第２のファクシミリ装置に送信する高速ファクシミリ識別信号送信ステップと、前記高速ファクシミリ識別信号に応答して、前記第２のファクシミリ装置が、前記第２の通信速度で送信されて来る信号の受信に対応していることを示す高速通信対応信号を前記第１のファクシミリ装置に送信する高速通信対応信号送信ステップと、前記高速通信対応信号を、前記第１のファクシミリ装置が前記高速ファクシミリ識別信号を送信してから所定の時間以内に、前記第１のファクシミリ装置が前記第２のファクシミリ装置から受信したときには、前記第１のファクシミリ装置が前記第２の通信速度で前記画像データ信号を前記第２のファクシミリ装置に送信する第１の画像データ送信ステップとを含み、
前記第１の通信速度で前記画像データ信号を前記第１のファクシミリ装置から前記第２のファクシミリ装置に送信する場合には、
ファクシミリ装置であることを示すとともに、前記第１の通信速度で前記画像データ信号を送信することを示す低速ファクシミリ識別信号を前記第１のファクシミリ装置から前記第２のファクシミリ装置に送信する低速ファクシミリ識別信号送信ステップと、前記低速ファクシミリ識別信号に応答して、前記高速通信対応信号を、前記第１のファクシミリ装置が前記低速ファクシミリ識別信号を送信してから前記所定の時間以内に、前記第２のファクシミリ装置から受信するか否かを待つことなく、前記第１の通信速度で前記画像データ信号を前記第１のファクシミリ装置が前記第２のファクシミリ装置に送信する第２の画像データ送信ステップとを含む
ことを特徴とする画像データ信号通信方法。
【請求項８】
紙に記載された内容を示す画像データ信号を第１の通信速度よりも速い第２の通信速度でファクシミリ装置に送信する場合には、
ファクシミリ装置であることを示すとともに、前記第２の通信速度で前記画像データ信号を送信することを示す高速ファクシミリ識別信号を前記ファクシミリ装置に送信する高速ファクシミリ識別信号送信処理と、前記第２の通信速度で送信されて来る信号の受信に対応していることを示す高速通信対応信号を、前記高速ファクシミリ識別信号を送信してから所定の時間以内に、前記ファクシミリ装置から受信したときには、前記第２の通信速度で前記画像データ信号を通信信号線を介して前記ファクシミリ装置に送信する第１の画像データ送信処理とをコンピュータに実行させ、
前記第１の通信速度で前記画像データ信号を前記ファクシミリ装置に送信する場合には、
ファクシミリ装置であることを示すとともに、前記第１の通信速度で前記画像データ信号を送信することを示す低速ファクシミリ識別信号を前記ファクシミリ装置に送信する低速ファクシミリ識別信号送信処理と、前記高速通信対応信号を、前記低速ファクシミリ識別信号を送信してから前記所定の時間以内に、前記ファクシミリ装置から受信するか否かを待つことなく、前記第１の通信速度で前記画像データ信号を前記ファクシミリ装置に送信する第２の画像データ送信処理とを前記コンピュータに実行させる
ことを特徴とする画像データ信号通信プログラム。
【請求項９】
ファクシミリ装置であることを示すとともに、紙に記載された内容を示す画像データ信号を第１の通信速度よりも速い第２の通信速度で送信することを示す高速ファクシミリ識別信号をファクシミリ装置から受信した場合には、
前記第２の通信速度で送信されて来る信号の受信に対応していることを示す高速通信対応信号を前記ファクシミリ装置に送信する高速通信対応信号送信処理と、前記ファクシミリ装置から前記第２の通信速度で送信されて来る前記画像データ信号を受信する第１の画像データ受信処理とをコンピュータに実行させ、
ファクシミリ装置であることを示すとともに、前記第１の通信速度で前記画像データ信号を送信することを示す低速ファクシミリ識別信号を前記ファクシミリ装置から受信した場合には、
前記高速通信対応信号を前記ファクシミリ装置に送信することなく、前記ファクシミリ装置から前記第１の通信速度で送信されて来る前記画像データ信号を受信する第２の画像データ受信処理を前記コンピュータに実行させる
ことを特徴とする画像データ信号通信プログラム。
【請求項１０】
第１の紙に記載された内容を示す第１の画像データ信号を第１の通信速度よりも速い第２の通信速度でファクシミリ装置に送信する場合には、
ファクシミリ装置であることを示すとともに、前記第２の通信速度で前記第１の画像データ信号を送信することを示す第１の高速ファクシミリ識別信号を前記ファクシミリ装置に送信する高速ファクシミリ識別信号送信処理と、前記第２の通信速度で送信されて来る信号の受信に対応していることを示す高速通信対応信号を、前記第１の高速ファクシミリ識別信号を送信してから所定の時間以内に、前記ファクシミリ装置から受信したときには、前記第２の通信速度で前記第１の画像データ信号を前記ファクシミリ装置に送信する第１の画像データ送信処理とをコンピュータに実行させ、
前記第１の通信速度で前記第１の画像データ信号を前記ファクシミリ装置に送信する場合には、
ファクシミリ装置であることを示すとともに、前記第１の通信速度で前記第１の画像データ信号を送信することを示す第１の低速ファクシミリ識別信号を前記ファクシミリ装置に送信する低速ファクシミリ識別信号送信処理と、前記高速通信対応信号を、前記第１の低速ファクシミリ識別信号を送信してから前記所定の時間以内に、前記ファクシミリ装置から受信するか否かを待つことなく、前記第１の通信速度で前記第１の画像データ信号を前記ファクシミリ装置に送信する第２の画像データ送信処理とを前記コンピュータに実行させ、
ファクシミリ装置であることを示すとともに、第２の紙に記載された内容を示す第２の画像データ信号を前記第２の通信速度を送信することを示す第２の高速ファクシミリ識別信号を前記ファクシミリ装置から受信した場合には、
前記高速通信対応信号を前記ファクシミリ装置に送信する高速通信対応信号送信処理と、前記ファクシミリ装置から前記第２の通信速度で送信されて来る前記第２の画像データ信号を受信する第１の画像データ受信処理とを前記コンピュータに実行させ、
ファクシミリ装置であることを示すとともに、前記第１の通信速度で前記第２の画像データ信号を送信することを示す第２の低速ファクシミリ識別信号を前記ファクシミリ装置から受信した場合には、
前記高速通信対応信号を前記ファクシミリ装置に送信することなく、前記ファクシミリ装置から前記第１の通信速度で送信されて来る前記第２の画像データ信号を受信する第２の画像データ受信処理を前記コンピュータに実行させる
ことを特徴とする画像データ信号通信プログラム。
【発明の詳細な説明】
【技術分野】
【０００１】
本発明は、ファクシミリ装置、画像データ信号通信システム、画像データ信号通信方法および画像データ信号通信プログラムに関する。
【背景技術】
【０００２】
読み取られた画像データを第１の通信速度（以下、「低通信速度」と言う。）および該低通信速度よりも速い第２の通信速度（以下、「高通信速度」と言う。）のいずれの通信速度でも送受信できるファクシミリ装置（以下、「ＦＡＸ装置」と言う。）が一般的に知られている。
【０００３】
図４は、第１のＦＡＸ装置から第２のＦＡＸ装置に画像データ信号を送信する場合の各種の信号のやりとりの様子を示す図である。
【０００４】
図４を参照すると、まず、第１のＦＡＸ装置の利用者が、第１のＦＡＸ装置に設けられた入力部から第２のＦＡＸ装置を指定するＦＡＸ指定番号（例えば、電話番号）を入力すると、第１のＦＡＸ装置は当該番号を示す番号信号と、自身がファクシミリ装置であることを示すファクシミリ識別信号（例えば、ＩＴＵ−Ｔ（Ｉｎｔｅｒｎａｔｉｏｎａｌ＿Ｔｅｌｅｃｏｍｍｕｎｉｃａｔｉｏｎ＿Ｕｎｉｏｎ−Ｔｅｌｅｃｏｍｍｕｎｉｃａｔｉｏｎ＿Ｓｔａｎｄａｒｄｉｚａｔｉｏｎ＿Ｓｅｃｔｏｒ（国際電気通信連合−電気通信標準化部門）のＶシリーズ勧告のうちの規格Ｖ．８の手順では、「ＣＮＧ信号」）とを通信信号線に送出し、上記電話番号で指定された第２のＦＡＸ装置は、該通信信号線を介してファクシミリ識別信号を受信する。
【０００５】
ファクシミリ識別信号を受信した第２のＦＡＸ装置は、相手がＦＡＸ装置であると認識すると共に、自身が高通信速度で送信されて来る信号の受信に対応している場合には、その旨を示す高速通信対応信号（例えば、上記規格Ｖ．８の手順では、「ＡＮＳａｍ信号」（２．６秒から４秒間続く信号））を第１のＦＡＸ装置に送信する。
【０００６】
一方、第２のＦＡＸ装置は、自身が高通信速度で送信されて来る信号の受信に対応していない場合には、高速通信対応信号を送信しない。
【０００７】
第１のＦＡＸ装置は、上記番号信号および上記ファクシミリ識別信号を送信してから所定の時間経過するまでに、第２のＦＡＸ装置からの高速通信対応信号を受信するか否かを待つ。
【０００８】
第１のＦＡＸ装置は、上記所定の時間内に高速通信対応信号を受信し且つ自身が高通信速度で信号を送信できる場合には、自身の読取部で読み取った、紙等に記載された内容を示す画像データ信号を、第２のＦＡＸ装置に高通信速度で送信する。
【０００９】
一方、第１のＦＡＸ装置は、上記所定の時間内に高速通信対応信号を受信しない場合には、自身の読取部で読み取った、紙等に記載された内容の示す画像データ信号を、第２のＦＡＸ装置に低通信速度で送信する。
【００１０】
なお、ＦＡＸ関連技術として、特許文献１には、短縮ダイヤル等に登録され、一度画データを送信した履歴がある受信相手から送信されるＡＮＳａｍ信号に対して前回の通信で用いられ記憶されたシンボルレートに対応する周波数のトーン信号を送信し、ＡＮＳａｍ信号に該トーン信号を衝突させることによりＶ．８の一部およびラインプロービングシーケンスを省略し、通信時間を短縮する技術が開示されている。
【００１１】
また、特許文献２には、グループ２（Ｇ２）規格のファクシミリ装置の送信側から画像データに先だって送出される位相調整信号の到着時間長を検出し、その検出された到着時間長に応じて受信側から受信準備完了確認信号を所定の周波数に対応付けたトーン信号で応答することにより、その後に続く送信側からの画像データが、Ｇ２規格と自社規格との何れの規格で伝送されて来るかを認識する技術が開示されている。
【００１２】
また、特許文献３には、転送を禁止された送信情報を送信する際に、受信先の能力が「受信情報の転送禁止機能あり」の場合は、転送禁止の旨をＤＣＳ信号等の送信元からの信号に埋め込んで送信し、一方、受信先の能力が「受信情報の転送禁止機能なし」の場合は、送信元から送信情報を送信しないことで送信元が意図しない受信先への送信情報の転送を防止する技術が開示されている。
【先行技術文献】
【特許文献】
【００１３】
【特許文献１】特開２００１−１０３２６２号公報
【特許文献２】特開昭５８−１７１１７３号公報
【特許文献３】特開２００１−０２８６７８号公報
【発明の概要】
【発明が解決しようとする課題】
【００１４】
しかしながら、図４を使用して説明したＦＡＸ装置においては、第１のＦＡＸ装置が、低通信速度で画像データ信号を送信したい場合（すなわち、第２のＦＡＸ装置が高通信速度で送信されて来る画像データ信号の受信に対応しているか否かを知る必要がない場合）にも、第２のＦＡＸ装置から上記高速通信対応信号が送信されて来るか否かを上記所定の時間だけ待つ必要があり、その結果、通信時間が長くなるという問題点がある。
【００１５】
なお、特許文献１乃至３のいずれにも、ＦＡＸ装置において、高通信速度ではなく低通信速度で画像データ信号を送信したい場合に通信時間を短縮させる技術は開示されていない。
【００１６】
本発明の目的は、上述した問題点を解決したファクシミリ装置、画像データ信号通信システム、画像データ信号通信方法および画像データ信号通信プログラムを提供することにある。
【課題を解決するための手段】
【００１７】
本発明の第１のファクシミリ装置は、
各種の処理の実行を制御する制御部と、
記憶部と、
紙に記載された内容を読み取り、該内容を画像データとして前記記憶部に記憶する画像読取部と、
前記記憶部に記憶された前記画像データを画像データ信号として通信信号線に送出する通信部と、
利用者が各種の指示を含む各種の情報を入力するとともに、各種の情報を表示するための操作表示部と
を備え、
前記操作表示部から入力された前記利用者の指示に応答して、第１の通信速度よりも速い第２の通信速度で前記画像データ信号を他のファクシミリ装置に送信する場合には、
ファクシミリ装置であることを示すとともに、前記第２の通信速度で前記画像データ信号を送信することを示す高速ファクシミリ識別信号を前記通信部および前記通信信号線を介して前記他のファクシミリ装置に送信する高速ファクシミリ識別信号送信処理と、前記第２の通信速度で送信されて来る信号の受信に対応していることを示す高速通信対応信号を、前記高速ファクシミリ識別信号を送信してから所定の時間以内に、前記他のファクシミリ装置から受信したときには、前記第２の通信速度で前記画像データ信号を前記通信部および前記通信信号線を介して前記他のファクシミリ装置に送信する第１の画像データ送信処理とを実行し、
前記操作表示部から入力された前記利用者の指示に応答して、前記第１の通信速度で前記画像データ信号を前記他のファクシミリ装置に送信する場合には、
ファクシミリ装置であることを示すとともに、前記第１の通信速度で前記画像データ信号を送信することを示す低速ファクシミリ識別信号を前記通信部および前記通信信号線を介して前記他のファクシミリ装置に送信する低速ファクシミリ識別信号送信処理と、前記高速通信対応信号を、前記低速ファクシミリ識別信号を送信してから前記所定の時間以内に、前記他のファクシミリ装置から受信するか否かを待つことなく、前記第１の通信速度で前記画像データ信号を前記通信部および前記通信信号線を介して前記他のファクシミリ装置に送信する第２の画像データ送信処理とを実行する。
【００１８】
本発明の第２のファクシミリ装置は、
各種の処理の実行を制御する制御部と、
通信信号線を介して画像データ信号を受信する通信部と、
を備え、
ファクシミリ装置であることを示すとともに、第１の通信速度よりも速い第２の通信速度で前記画像データ信号を送信することを示す高速ファクシミリ識別信号を前記通信信号線および前記通信部を介して前記他のファクシミリ装置から受信した場合には、
前記第２の通信速度で送信されて来る信号の受信に対応していることを示す高速通信対応信号を前記通信部および前記通信信号線を介して前記他のファクシミリ装置に送信する高速通信対応信号送信処理と、前記他のファクシミリ装置から前記第２の通信速度で送信されて来る前記画像データ信号を前記通信信号線および前記通信部を介して受信する第１の画像データ受信処理とを実行し、
ファクシミリ装置であることを示すとともに、前記第１の通信速度で前記画像データ信号を送信することを示す低速ファクシミリ識別信号を前記通信信号線および前記通信部を介して前記他のファクシミリ装置から受信した場合には、
前記高速通信対応信号を前記他のファクシミリ装置に送信することなく、前記他のファクシミリ装置から前記第１の通信速度で送信されて来る前記画像データ信号を前記通信信号線および前記通信部を介して受信する第２の画像データ受信処理を実行する。
【００１９】
本発明の第３のファクシミリ装置は、
各種の処理の実行を制御する制御部と、
記憶部と、
第１の紙に記載された内容を読み取り、該内容を画像データとして前記記憶部に記憶する画像読取部と、
前記記憶部に記憶された前記画像データを第１の画像データ信号として通信信号線に送出する通信部と、
利用者が各種の指示を含む各種の情報を入力するとともに、各種の情報を表示するための操作表示部と
を備え、
前記操作表示部から入力された前記利用者の指示に応答して、第１の通信速度よりも速い第２の通信速度で前記第１の画像データ信号を他のファクシミリ装置に送信する場合には、
ファクシミリ装置であることを示すとともに、前記第２の通信速度で前記第１の画像データ信号を送信することを示す第１の高速ファクシミリ識別信号を前記通信部および前記通信信号線を介して前記他のファクシミリ装置に送信する高速ファクシミリ識別信号送信処理と、前記第２の通信速度で送信されて来る信号の受信に対応していることを示す高速通信対応信号を、前記第１の高速ファクシミリ識別信号を送信してから所定の時間以内に、前記他のファクシミリ装置から受信したときには、前記第２の通信速度で前記第１の画像データ信号を前記通信部および前記通信信号線を介して前記他のファクシミリ装置に送信する第１の画像データ送信処理とを実行し、
前記操作表示部から入力された前記利用者の指示に応答して、前記第１の通信速度で前記第１の画像データ信号を前記他のファクシミリ装置に送信する場合には、
ファクシミリ装置であることを示すとともに、前記第１の通信速度で前記第１の画像データ信号を送信することを示す第１の低速ファクシミリ識別信号を前記通信部および前記通信信号線を介して前記他のファクシミリ装置に送信する低速ファクシミリ識別信号送信処理と、前記高速通信対応信号を、前記第１の低速ファクシミリ識別信号を送信してから前記所定の時間以内に、前記他のファクシミリ装置から受信するか否かを待つことなく、前記第１の通信速度で前記第１の画像データ信号を前記通信部および前記通信信号線を介して前記他のファクシミリ装置に送信する第２の画像データ送信処理とを実行し、
ファクシミリ装置であることを示すとともに、第２の紙に記載された内容を示す第２の画像データ信号を前記第２の通信速度で送信することを示す第２の高速ファクシミリ識別信号を前記通信信号線および前記通信部を介して前記他のファクシミリ装置から受信した場合には、
前記高速通信対応信号を前記通信部および前記通信信号線を介して前記他のファクシミリ装置に送信する高速通信対応信号送信処理と、前記他のファクシミリ装置から前記第２の通信速度で送信されて来る前記第２の画像データ信号を前記通信信号線および前記通信部を介して受信する第１の画像データ受信処理とを実行し、
ファクシミリ装置であることを示すとともに、前記第２の画像データ信号を前記第１の通信速度で送信することを示す第２の低速ファクシミリ識別信号を前記通信信号線および前記通信部を介して前記他のファクシミリ装置から受信した場合には、
前記高速通信対応信号を前記他のファクシミリ装置に送信することなく、前記他のファクシミリ装置から前記第１の通信速度で送信されて来る前記第２の画像データ信号を前記通信信号線および前記通信部を介して受信する第２の画像データ受信処理を実行する。
【００２０】
本発明の画像データ信号通信システムは、
各種の処理の実行を制御する第１の制御部と、記憶部と、紙に記載された内容を読み取り、該内容を画像データとして前記記憶部に記憶する画像読取部と、前記記憶部に記憶された前記画像データを画像データ信号として通信信号線に送出する第１の通信部と、利用者が各種の指示を含む各種の情報を入力するとともに、各種の情報を表示するための操作表示部とを含む第１のファクシミリ装置と、
各種の処理の実行を制御する第２の制御部と、前記通信信号線を介して前記画像データ信号を受信する第２の通信部とを含む第２のファクシミリ装置と
を備え、
前記第１のファクシミリ装置は、
前記操作表示部から入力された前記利用者の指示に応答して、第１の通信速度よりも速い第２の通信速度で前記画像データ信号を前記第２のファクシミリ装置に送信する場合には、
ファクシミリ装置であることを示すとともに、前記第２の通信速度で前記画像データ信号を送信することを示す高速ファクシミリ識別信号を前記第１の通信部および前記通信信号線を介して前記第２のファクシミリ装置に送信する高速ファクシミリ識別信号送信処理と、前記第２の通信速度で送信されて来る信号の受信に対応していることを示す高速通信対応信号を、前記高速ファクシミリ識別信号を送信してから所定の時間以内に、前記第２のファクシミリ装置から受信したときには、前記第２の通信速度で前記画像データ信号を前記第１の通信部および前記通信信号線を介して前記第２のファクシミリ装置に送信する第１の画像データ送信処理とを実行し、
前記操作表示部から入力された前記利用者の指示に応答して、前記第１の通信速度で前記画像データ信号を前記第２のファクシミリ装置に送信する場合には、
ファクシミリ装置であることを示すとともに、前記第１の通信速度で前記画像データ信号を送信することを示す低速ファクシミリ識別信号を前記第１の通信部および前記通信信号線を介して前記第２のファクシミリ装置に送信する低速ファクシミリ識別信号送信処理と、前記高速通信対応信号を、前記低速ファクシミリ識別信号を送信してから前記所定の時間以内に、前記第２のファクシミリ装置から受信するか否かを待つことなく、前記第１の通信速度で前記画像データ信号を前記第１通信部および前記通信信号線を介して前記第２のファクシミリ装置に送信する第２の画像データ送信処理とを実行し、
一方、
前記第２のファクシミリ装置は、
前記高速ファクシミリ識別信号を前記通信信号線を介して前記第１のファクシミリ装置から受信した場合には、
前記高速通信対応信号を前記第２の通信部および前記通信信号線を介して前記第１のファクシミリ装置に送信する高速通信対応信号送信処理と、前記第１のファクシミリ装置から前記第２の通信速度で送信されて来る前記画像データ信号を前記通信信号線および前記第２の通信部を介して受信する第１の画像データ受信処理とを実行し、
前記低速ファクシミリ識別信号を前記通信信号線を介して前記第１のファクシミリ装置から受信した場合には、
前記高速通信対応信号を前記第１のファクシミリ装置に送信することなく、前記第１のファクシミリ装置から前記第１の通信速度で送信されて来る前記画像データ信号を前記通信信号線および前記第２の通信部を介して受信する第２の画像データ受信処理を実行する。
【００２１】
本発明の第１の画像データ信号通信方法は、
紙に記載された内容を示す画像データ信号を第１の通信速度よりも速い第２の通信速度で第１のファクシミリ装置から第２のファクシミリ装置に送信する場合には、
ファクシミリ装置であることを示すとともに、前記第２の通信速度で前記画像データ信号を送信することを示す高速ファクシミリ識別信号を前記第１のファクシミリ装置から前記第２のファクシミリ装置に送信する高速ファクシミリ識別信号送信ステップと、前記第２の通信速度で送信されて来る信号の受信に対応していることを示す高速通信対応信号を、前記第１のファクシミリ装置が前記高速ファクシミリ識別信号を送信してから所定の時間以内に、前記第１のファクシミリ装置が前記第２のファクシミリ装置から受信したときには、前記第１のファクシミリ装置が前記第２の通信速度で前記画像データ信号を前記第２のファクシミリ装置に送信する第１の画像データ送信ステップとを含み、
前記第１の通信速度で前記画像データ信号を前記第１のファクシミリ装置から前記第２のファクシミリ装置に送信する場合には、
ファクシミリ装置であることを示すとともに、前記第１の通信速度で前記画像データ信号を送信することを示す低速ファクシミリ識別信号を前記第１のファクシミリ装置から前記第２のファクシミリ装置に送信する低速ファクシミリ識別信号送信ステップと、前記高速通信対応信号を、前記第１のファクシミリ装置が前記低速ファクシミリ識別信号を送信してから前記所定の時間以内に、前記第２のファクシミリ装置から受信するか否かを待つことなく、前記第１の通信速度で前記画像データ信号を前記第１のファクシミリ装置が前記第２のファクシミリ装置に送信する第２の画像データ送信ステップとを含む。
【００２２】
本発明の第２の画像データ信号通信方法は、
ファクシミリ装置であることを示すとともに、紙に記載された内容を示す画像データ信号を第１の通信速度よりも速い第２の通信速度で送信することを示す高速ファクシミリ識別信号を前記第１のファクシミリ装置から前記第２のファクシミリ装置が受信した場合には、
前記第２の通信速度で送信されて来る信号の受信に対応していることを示す高速通信対応信号を前記第１のファクシミリ装置に前記第２のファクシミリ装置が送信する高速通信対応信号送信ステップと、前記第１のファクシミリ装置から前記第２の通信速度で送信されて来る前記画像データ信号を前記第２のファクシミリ装置が受信する第１の画像データ受信ステップとを含み、
ファクシミリ装置であることを示すとともに、前記第１の通信速度で前記画像データ信号を送信することを示す低速ファクシミリ識別信号を前記第１のファクシミリ装置から前記第２のファクシミリ装置が受信した場合には、
前記第２のファクシミリ装置が前記高速通信対応信号を前記第１のファクシミリ装置に送信することなく、前記第１のファクシミリ装置から前記第１の通信速度で送信されて来る前記画像データ信号を前記第２のファクシミリ装置が受信する第２の画像データ受信ステップを含む。
【００２３】
本発明の第３の画像データ信号通信方法は、
紙に記載された内容を示す画像データ信号を第１の通信速度よりも速い第２の通信速度で第１のファクシミリ装置から第２のファクシミリ装置に送信する場合には、
ファクシミリ装置であることを示すとともに、前記第２の通信速度で前記画像データ信号を送信することを示す高速ファクシミリ識別信号を前記第１のファクシミリ装置から前記第２のファクシミリ装置に送信する高速ファクシミリ識別信号送信ステップと、前記高速ファクシミリ識別信号に応答して、前記第２のファクシミリ装置が、前記第２の通信速度で送信されて来る信号の受信に対応していることを示す高速通信対応信号を前記第１のファクシミリ装置に送信する高速通信対応信号送信ステップと、前記高速通信対応信号を、前記第１のファクシミリ装置が前記高速ファクシミリ識別信号を送信してから所定の時間以内に、前記第１のファクシミリ装置が前記第２のファクシミリ装置から受信したときには、前記第１のファクシミリ装置が前記第２の通信速度で前記画像データ信号を前記第２のファクシミリ装置に送信する第１の画像データ送信ステップとを含み、
前記第１の通信速度で前記画像データ信号を前記第１のファクシミリ装置から前記第２のファクシミリ装置に送信する場合には、
ファクシミリ装置であることを示すとともに、前記第１の通信速度で前記画像データ信号を送信することを示す低速ファクシミリ識別信号を前記第１のファクシミリ装置から前記第２のファクシミリ装置に送信する低速ファクシミリ識別信号送信ステップと、前記低速ファクシミリ識別信号に応答して、前記高速通信対応信号を、前記第１のファクシミリ装置が前記低速ファクシミリ識別信号を送信してから前記所定の時間以内に、前記第２のファクシミリ装置から受信するか否かを待つことなく、前記第１の通信速度で前記画像データ信号を前記第１のファクシミリ装置が前記第２のファクシミリ装置に送信する第２の画像データ送信ステップとを含む。
【００２４】
本発明の第１の画像データ信号通信プログラムは、
紙に記載された内容を示す画像データ信号を第１の通信速度よりも速い第２の通信速度でファクシミリ装置に送信する場合には、
ファクシミリ装置であることを示すとともに、前記第２の通信速度で前記画像データ信号を送信することを示す高速ファクシミリ識別信号を前記ファクシミリ装置に送信する高速ファクシミリ識別信号送信処理と、前記第２の通信速度で送信されて来る信号の受信に対応していることを示す高速通信対応信号を、前記高速ファクシミリ識別信号を送信してから所定の時間以内に、前記ファクシミリ装置から受信したときには、前記第２の通信速度で前記画像データ信号を前記通信信号線を介して前記ファクシミリ装置に送信する第１の画像データ送信処理とをコンピュータに実行させ、
前記第１の通信速度で前記画像データ信号を前記ファクシミリ装置に送信する場合には、
ファクシミリ装置であることを示すとともに、前記第１の通信速度で前記画像データ信号を送信することを示す低速ファクシミリ識別信号を前記ファクシミリ装置に送信する低速ファクシミリ識別信号送信処理と、前記高速通信対応信号を、前記低速ファクシミリ識別信号を送信してから前記所定の時間以内に、前記ファクシミリ装置から受信するか否かを待つことなく、前記第１の通信速度で前記画像データ信号を前記ファクシミリ装置に送信する第２の画像データ送信処理とを前記コンピュータに実行させる。
【００２５】
本発明の第２の画像データ信号通信プログラムは、
ファクシミリ装置であることを示すとともに、紙に記載された内容を示す前記画像データ信号を第１の通信速度よりも速い第２の通信速度で送信することを示す高速ファクシミリ識別信号をファクシミリ装置から受信した場合には、
前記第２の通信速度で送信されて来る信号の受信に対応していることを示す高速通信対応信号を前記ファクシミリ装置に送信する高速通信対応信号送信処理と、前記ファクシミリ装置から前記第２の通信速度で送信されて来る前記画像データ信号を受信する第１の画像データ受信処理とをコンピュータに実行させ、
ファクシミリ装置であることを示すとともに、前記第１の通信速度で前記画像データ信号を送信することを示す低速ファクシミリ識別信号を前記ファクシミリ装置から受信した場合には、
前記高速通信対応信号を前記ファクシミリ装置に送信することなく、前記ファクシミリ装置から前記第１の通信速度で送信されて来る前記画像データ信号を受信する第２の画像データ受信処理を前記コンピュータに実行させる。
【００２６】
本発明の第３の画像データ信号通信プログラムは、
第１の紙に記載された内容を示す第１の画像データ信号を第１の通信速度よりも速い第２の通信速度でファクシミリ装置に送信する場合には、
ファクシミリ装置であることを示すとともに、前記第２の通信速度で前記第１の画像データ信号を送信することを示す第１の高速ファクシミリ識別信号を前記ファクシミリ装置に送信する高速ファクシミリ識別信号送信処理と、前記第２の通信速度で送信されて来る信号の受信に対応していることを示す高速通信対応信号を、前記第１の高速ファクシミリ識別信号を送信してから所定の時間以内に、前記ファクシミリ装置から受信したときには、前記第２の通信速度で前記第１の画像データ信号を前記ファクシミリ装置に送信する第１の画像データ送信処理とをコンピュータに実行させ、
前記第１の通信速度で前記第１の画像データ信号を前記ファクシミリ装置に送信する場合には、
ファクシミリ装置であることを示すとともに、前記第１の通信速度で前記画像データ信号を送信することを示す第１の低速ファクシミリ識別信号を前記ファクシミリ装置に送信する低速ファクシミリ識別信号送信処理と、前記高速通信対応信号を、前記第１の低速ファクシミリ識別信号を送信してから前記所定の時間以内に、前記ファクシミリ装置から受信するか否かを待つことなく、前記第１の通信速度で前記第１の画像データ信号を前記ファクシミリ装置に送信する第２の画像データ送信処理とを前記コンピュータに実行させ、
ファクシミリ装置であることを示すとともに、第２の紙に記載された内容を示す第２の画像データ信号を前記第２の通信速度を送信することを示す第２の高速ファクシミリ識別信号を前記ファクシミリ装置から受信した場合には、
前記高速通信対応信号を前記ファクシミリ装置に送信する高速通信対応信号送信処理と、前記ファクシミリ装置から前記第２の通信速度で送信されて来る前記第２の画像データ信号を受信する第１の画像データ受信処理とを前記コンピュータに実行させ、
ファクシミリ装置であることを示すとともに、前記第１の通信速度で前記第２の画像データ信号を送信することを示す第２の低速ファクシミリ識別信号を前記ファクシミリ装置から受信した場合には、
前記第２の高速通信対応信号を前記ファクシミリ装置に送信することなく、前記ファクシミリ装置から前記第１の通信速度で送信されて来る前記第２の画像データ信号を受信する第２の画像データ受信処理を前記コンピュータに実行させる。
【発明の効果】
【００２７】
本発明には、第１のＦＡＸ装置が、第２のＦＡＸ装置に低通信速度で画像データ信号を送信する場合に、第１および第２のＦＡＸ装置間の通信時間を一般的な低通信速度で画像データ信号を送信するＦＡＸ装置に比べて短縮することができるという効果がある。
【図面の簡単な説明】
【００２８】
【図１】本実施形態を示すブロック図である。
【図２】第１のＦＡＸ装置から第２のＦＡＸ装置に画像データ信号を送信する場合の各種の信号のやりとりの様子を示す図である、
【図３】第１のＦＡＸ装置から第２のＦＡＸ装置に画像データ信号を送信する場合の処理の流れを示す流れ図である。
【図４】一般的な画像データ信号通信システムにおける第１のＦＡＸ装置から第２のＦＡＸ装置に画像データ信号を送信する場合の各種の信号のやりとりの様子を示す図である。
【発明を実施するための形態】
【００２９】
次に、本発明について図面を参照して詳細に説明する。
【００３０】
＜実施形態＞
まず、本発明の実施形態について説明する。
【００３１】
図１は、本実施形態を示すブロック図である。
【００３２】
図１を参照すると、本実施形態は、ＦＡＸ装置１０から構成され、ＦＡＸ装置１０は、制御部１１と、記憶部１２と、操作表示部１３と、画像読取部１４と、他のＦＡＸ装置等（図示せず）と通信を行うための通信信号線１６に接続された通信部１５とを含む。
【００３３】
制御部１１は、ＦＡＸ装置１０における各種の処理の実行を制御する。
【００３４】
記憶部１２は、画像読取部１４で読み取られた、紙等に記載された内容の示す画像データを記憶する。
【００３５】
操作表示部１３は、利用者が上述した画像データ信号を送りたい他のＦＡＸ装置を指定するＦＡＸ指定番号（例えば、電話番号）等や各種の指示を含む各種の情報を当該利用者が入力するための各種の操作キーと、各種情報を表示するための表示画面とを含む。
【００３６】
画像読取部１４は、紙等に記載された内容を読み取り、読み取った内容を画像データとして記憶部１２に記憶する。
【００３７】
通信部１５は、記憶部１２に記憶された画像データを画像データ信号として他のＦＡＸ装置に通信信号線１６介して低通信速度または高通信速度で送信するとともに、他のＦＡＸ装置から送信されて来る画像データ信号を通信信号線１６介して受信する。
【００３８】
次に、図１乃至図３を参照して本実施形態の動作について説明する。
【００３９】
以下では、第１のＦＡＸ装置から第２のＦＡＸ装置に画像データ信号を送信する場合について説明し、第１のＦＡＸ装置および第２のＦＡＸ装置は、図１に示したＦＡＸ装置１０と同一の構成を有するものとし、図１に示したＦＡＸ装置１０の構成要素と同一の第１のＦＡＸ装置および第２のＦＡＸ装置の構成要素を指す場合には、図１に示したＦＡＸ装置１０の当該構成要素に付与された参照符号を用いる（例えば、第１のＦＡＸ装置の制御部は「第１のＦＡＸ装置の制御部１１」、第２のＦＡＸ装置の制御部は「第２のＦＡＸ装置の制御部１１」というように表現する）。
【００４０】
図２は、第１のＦＡＸ装置から第２のＦＡＸ装置に画像データ信号を送信する場合の各種の信号のやりとりの様子を示し、図３は、第１のＦＡＸ装置から第２のＦＡＸ装置に画像データ信号を送信する場合の処理の流れを示す流れ図である。
【００４１】
まず、第１のＦＡＸ装置の利用者は、第２のＦＡＸ装置を指定するＦＡＸ指定番号を第１のＦＡＸ装置の操作表示部１３に入力するとともに、画像データ信号を高通信速度で送信するかまたは低通信速度で送信するかを第１のＦＡＸ装置の操作表示部１３から指示する。
【００４２】
第１のＦＡＸ装置の制御部１１は、ＦＡＸ指定番号の入力に応答して、ＦＡＸ指定番号を示す番号信号２０の通信信号線１６への送出を指示し、この指示に応答して、第１のＦＡＸ装置の通信部１５は、図２に示すように、番号信号２０を通信信号線１６に送出する（ステップＳ３２）。
【００４３】
これにより、第１のＦＡＸ装置と第２のＦＡＸ装置との間の通信回線が確立され、両ＦＡＸ装置間での通信信号線１６を介しての各種の信号のやりとりが可能となる。
【００４４】
第１のＦＡＸ装置は、利用者が、第１のＦＡＸ装置の操作表示部１３から、画像データ信号を高通信速度で送信するよう指示した場合には（ステップＳ３３においてＹＥＳ）、高速ファクシミリ識別信号２３（例えば、上記規格Ｖ．８の手順における「ＣＮＧ信号」）を第２のＦＡＸ装置に送信する（ステップＳ３４）。
【００４５】
この高速ファクシミリ識別信号２３は、この高速ファクシミリ識別信号２３を送信した装置がＦＡＸ装置であり、且つ、画像データ信号を高通信速度で送信することを要求していることを示す信号である。
【００４６】
第２のＦＡＸ装置の通信部１５は、この高速ファクシミリ識別信号２３を受信し、第２のＦＡＸ装置の制御部１１に渡す（ステップＳ３５）。
【００４７】
第２のＦＡＸ装置の制御部１１は、第２のＦＡＸ装置の通信部１５が高通信速度で送信されて来る信号の受信に対応している場合には、図２に示すように、高速通信対応信号２２（例えば、上記規格Ｖ．８の手順における「ＡＮＳａｍ信号」）を第２のＦＡＸ装置の通信部１５および通信信号線１６を介して第１のＦＡＸ装置に送信し、一方、第２のＦＡＸ装置の通信部１５が高通信速度で送信されて来る信号の受信に対応していない場合には、高速通信対応信号を第１のＦＡＸ装置に送信しない（ステップＳ３６）。
【００４８】
第１のＦＡＸ装置の制御部１１は、高速ファクシミリ識別信号２３を送信してから所定の時間以内に高速通信対応信号を受信した場合には（ステップＳ３７においてＹＥＳ）、必要に応じて、通信部１５および通信信号線１６を介して第２のＦＡＸ装置への所定の信号の送信および第２のＦＡＸ装置からの所定の信号の受信を行う。
【００４９】
そして、第１のＦＡＸ装置の制御部１１は、第１のＦＡＸ装置の読取部１４で読み取られ、第１のＦＡＸ装置の記憶部１２に記憶された画像データを画像データ信号２６として、通信部１５を介して第２のＦＡＸ装置に高通信速度で送信する（ステップＳ３８）。
【００５０】
一方、第１のＦＡＸ装置の制御部１１は、高速ファクシミリ識別信号２３を送信してから所定の時間以内に高速通信対応信号を受信しない場合には（ステップＳ３７においてＮＯ）、必要に応じて、通信部１５および通信信号線１６を介して第２のＦＡＸ装置への所定の信号の送信および第２のＦＡＸ装置からの所定の信号の受信を行う。
【００５１】
そして、第１のＦＡＸ装置の制御部１１は、第１のＦＡＸ装置の読取部１４で読み取られ、第１のＦＡＸ装置の記憶部１２に記憶された画像データを画像データ信号２５として、通信部１５を介して第２のＦＡＸ装置に低通信速度で送信する（ステップＳ３９）。
【００５２】
また、第１のＦＡＸ装置は、ステップＳ３３において、利用者が、第１のＦＡＸ装置の操作表示部１３から、画像データ信号を低通信速度で第２のＦＡＸ装置に送信するよう指示した場合には（ステップＳ３３においてＮＯ）、低速ファクシミリ識別信号２１を通信信号線１６へ送出する（ステップＳ４０）。
【００５３】
この、低速ファクシミリ識別信号２１は、この低速ファクシミリ識別信号２１を送信した装置がＦＡＸ装置であり、且つ、画像データ信号を低通信速度で送信することを要求していることを示す信号である。
【００５４】
第２のＦＡＸ装置の通信部１５は、この低速ファクシミリ識別信号２１を受信し、第２のＦＡＸ装置の制御部１１に渡す（ステップＳ４１）。
【００５５】
第２のＦＡＸ装置の制御部１１は、この低速ファクシミリ識別信号２１により、第１のＦＡＸ装置が画像データ信号を低通信速度で送信することを要求していることを知ることができるので、自身が高通信速度で送信されて来る信号の受信に対応しているとしても、高速通信対応信号の第１のＦＡＸ装置への送信を行わない（ステップＳ４２）。
【００５６】
一方、第１のＦＡＸ装置の制御部１１は、低速ファクシミリ識別信号２１の送信後、高速通信対応信号の受信を上記所定の時間だけ待つことなく、第１のＦＡＸ装置の読取部１４で読み取られ、第１のＦＡＸ装置の記憶部１２に記憶された画像データを画像データ信号２５として、通信部１５を介して第２のＦＡＸ装置に低通信速度で送信する（ステップＳ４３）。
【００５７】
なお、第１および第２のＦＡＸ装置のそれぞれの一部は、専用のハードウェアではなく、プログラムに従って動作するＣＰＵ（中央処理装置）等のコンピュータで実現されても良い。また、上述した第１および第２のＦＡＸ装置の制御方法は、同じメーカの上述したＦＡＸ装置間の通信を含む、何れのメーカの上述したＦＡＸ装置間の通信の制御に用いてもよい。
【００５８】
以上、本実施形態には、第１のＦＡＸ装置が、第２のＦＡＸ装置に低通信速度で画像データ信号を送信する場合に、第１および第２のＦＡＸ装置間の通信時間を一般的な低通信速度で画像データ信号を送信するＦＡＸ装置に比べて短縮することができるという効果がある。
【００５９】
その理由は、第２のＦＡＸ装置が第１のＦＡＸ装置からの低速ファクシミリ識別信号２１を受信した場合に、第２のＦＡＸ装置は高速通信対応信号を送信せず、第１のＦＡＸ装置も該高速通信対応信号が送信されて来るのを待たずに画像データ信号を送信するためである。
【符号の説明】
【００６０】
１０    ＦＡＸ装置
１１    制御部
１２    記憶部
１３    操作表示部
１４    画像読取部
１５    通信部
１６    通信信号線
２０    番号信号
２１    低速ファクシミリ識別信号
２２    高速通信対応信号
２３    高速ファクシミリ識別信号
２５    画像データ信号
２６    画像データ信号
【図１】
0006382614.tif 000002
【図２】
0006382614.tif 000003
【図３】
0006382614.tif 000004
【図４】
0006382614.tif 000005